(57)【要約】【課題】起動時間を短縮させると共に、電源遮断時から電源投入時までの経過時間の検出精度を向上させることが可能な画像形成装置を提供すること。【解決手段】画像形成装置は、メイン制御部２０より起動時間が短いエンジン制御部２２と、給電部１９による給電が停止された給電停止状態の継続時間とコンデンサ２３１の残存電荷量との対応関係を示す放電特性データが格納される記憶部とを備え、画像形成装置の電源が投入された場合にコンデンサ２３１の残存電荷量を検出し、検出されたコンデンサ２３１の残存電荷量及び記憶部に格納された放電特性データに基づいて給電停止状態の継続時間を取得し、取得された給電停止状態の継続時間に基づいて画像形成部を調整する調整処理の実行の要否を判断する。【選択図】図３
2017177764.tif 000002
【特許請求の範囲】
【請求項１】
画像データに基づいて画像を形成可能な画像形成部と、
第１制御部と、
前記第１制御部から入力される第１制御信号に基づいて前記画像形成部の動作を制御する第２制御部と、を備える画像形成装置であって、
コンデンサを有し、給電を受けている場合に前記コンデンサを充電し、給電が停止された場合に前記コンデンサを放電する回路部と、
前記第１制御部、前記第２制御部、及び前記回路部に給電する給電部と、
前記給電部による給電が停止された給電停止状態の継続時間と前記コンデンサの残存電荷量との対応関係を示す放電特性データが格納される記憶部と、を備え、
前記第２制御部は、前記第１制御部よりも起動時間が短く、
前記給電部による給電によって前記第２制御部が起動した場合に前記コンデンサの前記残存電荷量を検出する第１検出処理部と、
前記第１検出処理部によって検出された前記コンデンサの前記残存電荷量及び前記記憶部に格納された前記放電特性データに基づいて、前記給電停止状態の継続時間を取得する第１取得処理部と、
前記第１取得処理部によって取得された前記給電停止状態の継続時間に基づいて、前記画像形成部を調整する調整処理の実行の要否を判断する判断処理部と、
を有する画像形成装置。
【請求項２】
予め定められた第１遷移条件を充足する場合に、前記画像形成装置の動作モードを第１モードから前記第１モードより消費電力が低減される第２モードに遷移させる第１遷移処理部と、
前記画像形成装置の動作モードが前記第２モードである場合において予め定められた第２遷移条件を充足する場合に、前記動作モードを前記第２モードから前記第１モードに遷移させる第２遷移処理部と、を更に備え、
前記給電部は、前記動作モードが前記第１モードである場合に前記第１制御部、前記第２制御部、及び前記回路部に給電し、前記動作モードが前記第２モードである場合には前記第１制御部、前記第２制御部、及び前記回路部への給電を停止する請求項１に記載の画像形成装置。
【請求項３】
前記第２制御部から第２制御信号が入力されている場合に前記給電部と前記コンデンサとの間の給電経路を導通し、前記第２制御部からの前記第２制御信号の入力が停止された場合に前記給電経路を遮断する切替スイッチを更に備え、
前記第２制御部は、前記第１検出処理部による前記コンデンサの前記残存電荷量の検出後に前記給電経路を導通させる導通処理部を有する請求項１又は２に記載の画像形成装置。
【請求項４】
予め定められたタイミングで前記給電経路を遮断させる遮断処理部と、
前記遮断処理部によって前記給電経路が遮断された後に前記コンデンサの前記残存電荷量を検出する第２検出処理部と、
前記第２検出処理部による前記コンデンサの前記残存電荷量の検出時刻を取得する第２取得処理部と、
前記第２検出処理部によって検出された前記コンデンサの前記残存電荷量及び前記第２取得処理部によって取得された前記検出時刻に基づいて、前記放電特性データを生成するデータ生成部と、
前記データ生成部により生成された前記放電特性データを前記記憶部に格納する格納処理部と、
を更に備える請求項３に記載の画像形成装置。
【請求項５】
外部からの給電により充電される蓄電池を有し、外部からの給電又は前記蓄電池からの給電によって駆動されて現在の時刻を計測し、現在の時刻を示す時刻情報を前記第１制御部に供給する時刻計測部を更に備え、
前記第１制御部は、前記遮断処理部と、前記第２検出処理部と、前記第２取得処理部と、前記データ生成部と、前記格納処理部とを有し、
前記第２取得処理部は、前記時刻計測部から供給される前記時刻情報に基づいて前記検出時間を取得する請求項４に記載の画像形成装置。
【発明の詳細な説明】
【技術分野】
【０００１】
本発明は、画像形成装置に関する。
【背景技術】
【０００２】
プリンターのような画像形成装置では、装置全体の制御を司るメイン制御部とは別に、エンジン制御部が設けられることがある。この種の画像形成装置では、エンジン制御部によって、感光体ドラム、帯電装置、光走査装置、現像装置、転写装置、及び定着装置などの画像形成部の各部の動作が制御されて、印刷処理が実行される。
【０００３】
また、この種の画像形成装置では、エンジン制御部が、画像形成装置の電源投入時に、画像形成部を調整する調整処理を実行する。例えば、エンジン制御部は、以前に実行された印刷処理の終了時から画像形成装置の電源投入時までの経過時間が予め定められた基準時間を超える場合に、調整処理を実行する。例えば、画像形成装置には、現在の時刻を計測するＲＴＣ（リアルタイムクロック）が設けられている。メイン制御部は、ＲＴＣから取得される現在の時刻を示す時刻情報を用いて、印刷処理の履歴情報を生成する等の処理を行う。また、エンジン制御部は、印刷処理の終了時及び画像形成装置の電源投入時にメイン制御部から受信される時刻情報に基づいて、以前に実行された印刷処理の終了時から電源投入時までの経過時間を算出する。
【０００４】
一方、電源投入時におけるコンデンサの電荷の残存量に基づいて、電源遮断時から電源投入時までの間の経過時間を検出可能な従来技術が知られている（特許文献１参照）。
【先行技術文献】
【特許文献】
【０００５】
【特許文献１】特開２００２−４０１７４号公報
【発明の概要】
【発明が解決しようとする課題】
【０００６】
ところで、画像形成装置では、エンジン制御部の起動がメイン制御部の起動より早いことがある。この場合、エンジン制御部は、画像形成装置の電源投入時において、メイン制御部が起動するまでの間、メイン制御部から時刻情報を受信することができず、調整処理の要否判断を行うことができない。即ち、エンジン制御部において、メイン制御部の起動を待つ待機時間が発生する。
【０００７】
これに対し、エンジン制御部に上述の従来技術が適用される場合、エンジン制御部は、メイン制御部の起動前に、画像形成装置の電源遮断時から電源投入時までの経過時間を取得することが可能である。即ち、エンジン制御部は、以前に実行された印刷処理の終了時から画像形成装置の電源遮断時までの経過時間を予め取得しておくことで、メイン制御部の起動を待つことなく、調整処理を実行することが可能である。この場合には、画像形成装置の起動時間が短縮される。
【０００８】
しかしながら、上述の従来技術では、コンデンサを含む電気回路の個体差に起因する検出時間のバラつきが考慮されていない。そのため、エンジン制御部が上述の従来技術の構成を用いて画像形成装置の電源遮断時から電源投入時までの経過時間を取得する場合、調整処理が適切なタイミングで実行されないおそれがある。例えば、調整処理が適切なタイミングで実行されない場合には、不要な調整処理の実行による印刷処理の開始の遅延、又は必要な調整処理が実行されないことによる印刷品質の低下等の不具合が生じる。
【０００９】
本発明の目的は、起動時間を短縮させると共に、電源遮断時から電源投入時までの経過時間の検出精度を向上させることが可能な画像形成装置を提供することにある。
【課題を解決するための手段】
【００１０】
本発明に係る画像形成装置は、画像形成部と、第１制御部と、第２制御部と、回路部と、給電部と、記憶部とを備える。前記画像形成部は、画像データに基づいて画像を形成可能である。前記第２制御部は、前記第１制御部から入力される第１制御信号に基づいて前記画像形成部の動作を制御し、前記第１制御部よりも起動時間が短い。前記回路部は、コンデンサを有し、給電を受けている場合に前記コンデンサを充電し、給電が停止された場合に前記コンデンサを放電する。前記給電部は、前記第１制御部、前記第２制御部、及び前記回路部に給電する。前記記憶部には、前記給電部による給電が停止された給電停止状態の継続時間と前記コンデンサの残存電荷量との対応関係を示す放電特性データが格納される。また、前記第２制御部は、第１検出処理部と、第１取得処理部と、判断処理部とを有する。前記第１検出処理部は、前記給電部による給電によって前記第２制御部が起動した場合に前記コンデンサの前記残存電荷量を検出する。前記第１取得処理部は、前記第１検出処理部によって検出された前記コンデンサの前記残存電荷量及び前記記憶部に格納された前記放電特性データに基づいて、前記給電停止状態の継続時間を取得する。前記判断処理部は、前記第１取得処理部によって取得された前記給電停止状態の継続時間に基づいて、前記画像形成部を調整する調整処理の実行の要否を判断する。
【発明の効果】
【００１１】
本発明によれば、起動時間を短縮させると共に、電源遮断時から電源投入時までの経過時間の検出精度を向上させることが可能である。
【図面の簡単な説明】
【００１２】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の給電部による給電経路を示すブロック図である。
【図４】図４は、本発明の実施形態に係る画像形成装置で実行されるデータ生成処理の一例を示すフローチャートである。
【図５】図５は、本発明の実施形態に係る画像形成装置で生成される放電特性データの一例を示す図である。
【図６】図６は、本発明の実施形態に係る画像形成装置で実行される要否判断処理の一例を示すフローチャートである。
【発明を実施するための形態】
【００１３】
以下、添付図面を参照しながら、本発明の実施形態について説明する。なお、以下の実施形態は、本発明を具体化した一例であって、本発明の技術的範囲を限定するものではない。
【００１４】
［画像形成装置１００の概略構成］
まず、図１〜図３を参照しつつ、本発明の実施形態に係る画像形成装置１００の概略構成について説明する。ここで、図１は画像形成装置１００の構成を示す断面模式図である。なお、図３では、各構成間で入出力される電気信号が破線によって示されている。また、図３では、時刻計測部１７及び検出回路２３が二点鎖線によって示されている。
【００１５】
画像形成装置１００は、原稿から画像データを読み取るスキャン機能、及び画像データに基づいて画像を形成するプリント機能と共に、ファクシミリ機能、及びコピー機能などの複数の機能を有する複合機である。また、本発明は、プリンター装置、ファクシミリ装置、及びコピー機などの画像形成装置に適用可能である。
【００１６】
図１及び図２に示されるように、画像形成装置１００は、ＡＤＦ（自動原稿搬送装置）１１、画像読取部１２、画像形成部１３、給紙部１４、操作表示部１５、時刻計測部１７、記憶部１８、給電部１９、メイン制御部２０、通信部２１、エンジン制御部２２、及び検出回路２３を備える。時刻計測部１７及びメイン制御部２０は、図３に示されるように、第１基板１００Ａに搭載される。また、通信部２１は、図３に示されるように、第２基板１００Ｂに搭載される。また、エンジン制御部２２及び検出回路２３は、図３に示されるように、第３基板１００Ｃに搭載される。画像形成装置１００は、外部電源３００（図３参照）から給電を受けて稼働する。
【００１７】
ＡＤＦ１１は、原稿セット部、複数の搬送ローラー、原稿押さえ、及び排紙部を備え、画像読取部１２によって読み取られる原稿を搬送する。画像読取部１２は、原稿台、光源、複数のミラー、光学レンズ、及びＣＣＤを備え、原稿から画像データを読み取ることが可能である。
【００１８】
画像形成部１３は、画像データに基づいて電子写真方式で画像を形成することが可能である。具体的に、画像形成部１３は、感光体ドラム、帯電装置、光走査装置、現像装置、転写装置、クリーニング装置、定着装置、及び排紙トレイを備える。給紙部１４は、給紙カセット、シート搬送路、及び複数の搬送ローラーを備え、画像形成部１３にシートを供給する。画像形成部１３は、給紙部１４から供給されるシートに、画像データに基づく画像を形成する。画像形成部１３による画像形成後のシートは、前記排紙トレイに排出される。なお、画像形成部１３は、インクジェット方式などの他の画像形成方式により画像を形成するものであってもよい。
【００１９】
操作表示部１５は、メイン制御部２０からの制御指示に応じて各種の情報を表示する液晶ディスプレーなどの表示部、及びユーザーの操作に応じてメイン制御部２０に各種の情報を入力する操作キー又はタッチパネルなどの操作部を有する。通信部１６は、外部の通信装置との間で有線又は無線による通信を行うことが可能な通信インターフェイスである。
【００２０】
時刻計測部１７は、図３に示されるように、ＲＴＣ（real-time clock）１７１、及び蓄電池１７２を有する。ＲＴＣ１７１は、現在の時刻を計測して、現在の時刻を示す時刻情報をメイン制御部２０に供給する集積回路（ＩＣ）である。蓄電池１７２は、外部からの給電により充電される。例えば、蓄電池１７２は、図３に示されるように、給電部１９からの給電を受けて充電される。
【００２１】
時刻計測部１７では、ＲＴＣ１７１が外部からの給電又は蓄電池１７２からの給電によって駆動される。具体的に、ＲＴＣ１７１は、給電部１９からの第１基板１００Ａへの給電が停止されるまでの間は、給電部１９からの給電により駆動される。また、蓄電池１７２は、給電部１９からの第１基板１００Ａへの給電が停止されるまでの間は、給電部１９からの給電により充電される。一方、ＲＴＣ１７１は、給電部１９からの第１基板１００Ａへの給電が停止された場合は、蓄電池１７２からの給電により駆動される。これにより、ＲＴＣ１７１は、給電部１９からの給電が停止されている間も、現在の時刻の計測を行うことが可能である。
【００２２】
記憶部１８は、不揮発性の記憶媒体である。例えば、記憶部１８は、フラッシュメモリー、ＳＳＤ（ソリッドステートドライブ）、又はＨＤＤ（ハードディスクドライブ）などの記憶媒体である。
【００２３】
給電部１９は、外部電源３００（図３参照）から供給される電力を画像形成装置１００の各部に供給する。具体的に、給電部１９は、図３に示されるように、外部電源３００から供給される電力を、第１基板１００Ａ、第２基板１００Ｂ、及び第３基板１００Ｃに供給する。例えば、給電部１９は、外部電源３００から供給される１００Ｖの交流電圧を５Ｖの直流電圧に変換するＡＣ−ＤＣコンバーターである。
【００２４】
また、図３には示されていないが、給電部１９は、外部電源３００から供給される電力を、ＡＤＦ１１、画像読取部１２、画像形成部１３、給紙部１４、操作表示部１５、及び記憶部１８に供給する。例えば、給電部１９から出力される電力は、不図示の昇圧回路によって昇圧されて、ＡＤＦ１１、画像読取部１２、画像形成部１３、給紙部１４、及び操作表示部１５に供給される。
【００２５】
メイン制御部２０は、画像形成装置１００の全体の制御を司る。ここに、メイン制御部２０が、本発明における第１制御部の一例である。
【００２６】
例えば、メイン制御部２０は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは揮発性の記憶媒体である。前記ＥＥＰＲＯＭは不揮発性の記憶媒体である。前記ＲＡＭ及び前記ＥＥＰＲＯＭは、前記ＣＰＵが実行する各種の処理の一時記憶メモリー（作業領域）として使用される。メイン制御部２０では、前記ＣＰＵにより前記ＲＯＭに予め記憶された各種の制御プログラムが実行される。これにより、画像形成装置１００がメイン制御部２０により統括的に制御される。なお、メイン制御部２０は、集積回路（ＡＳＩＣ）などの電子回路で構成されたものであってもよい。
【００２７】
メイン制御部２０は、時刻計測部１７から前記時刻情報を取得する。例えば、メイン制御部２０は、時刻計測部１７のＲＴＣ１７１に制御信号Ｘ１（図３参照）を入力して、ＲＴＣ１７１に現在の時刻を示す時刻情報Ｄ１を出力させる。例えば、メイン制御部２０は、ＲＴＣ１７１から出力される時刻情報Ｄ１を用いて、エンジン制御部２２により実行される印刷処理の履歴情報の生成、及びファクシミリの送受信時刻の記録等の処理を行う。
【００２８】
また、メイン制御部２０は、図２に示されるように、第１遷移処理部２０１を有する。具体的に、メイン制御部２０は、前記ＣＰＵを用いて前記ＲＯＭに記憶されている前記制御プログラムを実行する。これにより、メイン制御部２０は、第１遷移処理部２０１として機能する。
【００２９】
第１遷移処理部２０１は、予め定められた第１遷移条件を充足する場合に、画像形成装置１００の動作モードを第１モードから前記第１モードより消費電力が低減される第２モードに遷移させる。例えば、前記第１遷移条件には、操作表示部１５に対する無操作状態が予め定められた時間継続したことが含まれる。また、前記第１遷移条件には、操作表示部１５においてユーザーにより動作モードの変更操作が行われたことが含まれていてもよい。また、前記第１遷移条件には、操作表示部１５又は画像形成装置１００の筐体の側面等に設けられた電源キーが操作されたことが含まれていてもよい。
【００３０】
例えば、第１遷移処理部２０１は、前記第１遷移条件を充足する場合に、給電部１９による第１基板１００Ａ、及び第３基板１００Ｃを含む画像形成装置１００の各部への給電を停止させる。一方、第１遷移処理部２０１は、第２基板１００Ｂを含む一部の構成については、給電部１９による給電を継続させる。例えば、第１遷移処理部２０１は、給電部１９に制御信号Ｘ２（図３参照）を入力して、画像形成装置１００の各部への給電を停止させる。即ち、給電部１９は、前記動作モードが前記第２モードである場合に、第１基板１００Ａに搭載されるメイン制御部２０、並びに第３基板１００Ｃに搭載されるエンジン制御部２２及び検出回路２３への給電を停止する。
【００３１】
通信部２１は、外部の通信装置との間で有線又は無線によるデータ通信を行う通信インターフェイスである。
【００３２】
図２に示されるように、通信部２１は、第２遷移処理部２１１を有する。例えば、第２遷移処理部２１１は、通信部２１に設けられた集積回路（ＡＳＩＣ、ＤＳＰ）などの電子回路で構成される。なお、通信部２１は、ＣＰＵ、ＲＯＭ、及びＲＡＭなどの制御機器を有するものであってもよい。この場合、通信部２１は、それらの制御機器を用いて第２遷移処理部２１１として機能する。
【００３３】
第２遷移処理部２１１は、前記動作モードが前記第２モードである場合において、予め定められた第２遷移条件を充足する場合に、前記動作モードを前記第２モードから前記第１モードに遷移させる。例えば、前記第２遷移条件には、外部の通信装置から後述する印刷処理の実行指示を受信したことが含まれる。また、前記第２遷移条件には、操作表示部１５においてユーザーによる操作が検出されたことが含まれていてもよい。また、前記第２遷移条件には、操作表示部１５又は画像形成装置１００の筐体の側面等に設けられた電源キーが操作されたことが含まれていてもよい。
【００３４】
具体的に、第２遷移処理部２１１は、前記動作モードが前記第２モードである場合において、前記第２遷移条件を充足する場合に、給電部１９による第１基板１００Ａ、及び第３基板１００Ｃを含む画像形成装置１００の各部への給電を再開させる。例えば、第２遷移処理部２１１は、給電部１９に制御信号Ｘ３（図３参照）を入力して、画像形成装置１００の各部への給電を再開させる。即ち、給電部１９は、前記動作モードが前記第１モードである場合に、第１基板１００Ａに搭載されるメイン制御部２０、並びに第３基板１００Ｃに搭載されるエンジン制御部２２及び検出回路２３に給電する。
【００３５】
エンジン制御部２２は、メイン制御部２０から入力される制御信号に基づいて、ＡＤＦ１１、画像読取部１２、画像形成部１３、及び給紙部１４等の動作を制御する。ここに、エンジン制御部２２が、本発明における第２制御部の一例である。また、メイン制御部２０からエンジン制御部２２に入力される制御信号が、本発明における第１制御信号の一例である。
【００３６】
エンジン制御部２２は、画像形成装置１００の電源投入時、又は前記第２モードから前記第１モードへの遷移時に、メイン制御部２０より短い時間で起動する。例えば、エンジン制御部２２は、メイン制御部２０より数ミリ秒早く起動する。例えば、エンジン制御部２２は、集積回路（ＡＳＩＣ、ＤＳＰ）などの電子回路で構成される。そのため、エンジン制御部２２は、前記ＲＯＭに記憶された起動プログラムを読み込んで起動するメイン制御部２０より短い起動時間で起動することが可能である。なお、エンジン制御部２２は、メイン制御部２０と同様に、ＣＰＵ、ＲＯＭ、及びＲＡＭなどの制御機器によって構成されていてもよい。図２に示されるように、エンジン制御部２２は、印刷処理部２２１を含む。
【００３７】
印刷処理部２２１は、メイン制御部２０からの指示に従って、画像データに基づく画像を形成する印刷処理を実行する。
【００３８】
例えば、印刷処理部２２１は、ＡＤＦ１１の前記原稿セット部に載置された原稿を印刷する第１印刷処理を実行する。また、印刷処理部２２１は、画像読取部１２の前記原稿台に載置された原稿を印刷する第２印刷処理を実行する。また、印刷処理部２２１は、外部の情報処理装置から送信される画像データを印刷する第３印刷処理を実行する。また、印刷処理部２２１は、記憶部１８に格納された画像データを印刷する第４印刷処理を実行する。例えば、メイン制御部２０は、操作表示部１５において前記印刷処理の実行を指示するユーザー操作があった場合、又は外部の情報処理装置から前記印刷処理の実行指示が送信された場合に、エンジン制御部２２に前記印刷処理の実行を指示する。
【００３９】
具体的に、印刷処理部２２１は、メイン制御部２０から前記第１印刷処理の実行が指示された場合に、ＡＤＦ１１、画像読取部１２、画像形成部１３、及び給紙部１４の各構成の動作を制御して、前記第１印刷処理を実行する。また、印刷処理部２２１は、メイン制御部２０から前記第２印刷処理の実行が指示された場合に、画像読取部１２、画像形成部１３、及び給紙部１４の各構成の動作を制御して、前記第２印刷処理を実行する。また、印刷処理部２２１は、メイン制御部２０から前記第３印刷処理又は前記第４印刷処理の実行が指示された場合に、画像形成部１３、及び給紙部１４の各構成の動作を制御して、前記第３印刷処理又は前記第４印刷処理を実行する。
【００４０】
ところで、画像形成装置１００では、エンジン制御部２２が、画像形成装置１００の電源投入時に、画像形成部１３を調整する調整処理を実行する。例えば、エンジン制御部２２は、以前に実行された前記印刷処理の終了時から画像形成装置１００の電源投入時までの経過時間が予め定められた基準時間を超える場合に、前記調整処理を実行する。例えば、エンジン制御部２２は、前記印刷処理の終了時及び画像形成装置１００の電源投入時にメイン制御部２０から前記時刻情報を受信することで、以前に実行された前記印刷処理の終了時から画像形成装置１００の電源投入時までの経過時間を算出することが可能である。
【００４１】
ここで、画像形成装置１００では、上述したように、エンジン制御部２２が、画像形成装置１００の電源投入時に、メイン制御部２０より短い時間で起動することが可能である。そのため、エンジン制御部２２は、画像形成装置１００の電源投入時においてメイン制御部２０から前記時刻情報を受信する場合、メイン制御部２０の起動を待つ必要がある。例えば、エンジン制御部２２がメイン制御部２０より数ミリ秒早く起動する場合、エンジン制御部２２において数ミリ秒の待機時間が発生する。
【００４２】
これに対し、電源投入時におけるコンデンサの電荷の残存量に基づいて、電源遮断時から電源投入時までの間の経過時間を検出可能な従来技術が知られている。エンジン制御部２２に前記従来技術が適用される場合、エンジン制御部２２は、メイン制御部２０の起動前に、画像形成装置１００の電源遮断時から電源投入時までの経過時間を取得することが可能である。即ち、エンジン制御部２２は、以前に実行された前記印刷処理の終了時から画像形成装置１００の電源遮断時までの経過時間を予め取得しておくことで、メイン制御部２０の起動を待つことなく、前記調整処理を実行することが可能である。この場合には、画像形成装置１００の起動時間が短縮される。例えば、エンジン制御部２２がメイン制御部２０より数ミリ秒早く起動する場合、画像形成装置１００の起動時間が数ミリ秒短縮される。
【００４３】
しかしながら、コンデンサを用いて、画像形成装置１００の電源遮断時から電源投入時までの間の経過時間を検出する場合には、コンデンサを含む電気回路の個体差に起因して検出時間にバラつきが生じる。例えば、前記電気回路の個体によって、前記電気回路に含まれるコンデンサの静電容量、抵抗器の抵抗値、又は通電経路の抵抗値が異なる場合がある。そのため、エンジン制御部２２が前記従来技術の構成を用いて画像形成装置１００の電源遮断時から電源投入時までの経過時間を取得する場合、前記調整処理が適切なタイミングで実行されないおそれがある。例えば、前記調整処理が適切なタイミングで実行されない場合には、不要な前記調整処理の実行による前記印刷処理の開始の遅延、又は必要な前記調整処理が実行されないことによる印刷品質の低下等の不具合が生じる。
【００４４】
これに対し、本発明の実施形態に係る画像形成装置１００では、以下に説明するように、画像形成装置１００の起動時間を短縮させると共に、電源遮断時から電源投入時までの経過時間の検出精度を向上させることが可能である。
【００４５】
以下、図３を参照しつつ、検出回路２３について説明する。
【００４６】
検出回路２３は、給電部１９による第１基板１００Ａ、及び第３基板１００Ｃへの給電が停止された給電停止状態の継続時間を検出する。ここに、検出回路２３が、本発明における回路部の一例である。
【００４７】
例えば、画像形成装置１００では、画像形成装置１００の電源が遮断された場合に、給電部１９による第１基板１００Ａ、及び第３基板１００Ｃを含む画像形成装置１００の各部への給電が停止される。また、画像形成装置１００では、前記動作モードが前記第１モードから前記第２モードに遷移した場合に、給電部１９による第１基板１００Ａ、及び第３基板１００Ｃを含む画像形成装置１００の各部への給電が、第２基板１００Ｂを含む一部の構成を除いて停止される。
【００４８】
具体的に、検出回路２３は、図３に示されるように、コンデンサ２３１、切替スイッチ２３２、抵抗２３３、及び電圧検出部２３４を有する。
【００４９】
コンデンサ２３１は、図３に示されるように、一端が切替スイッチ２３２を介して給電部１９に接続されて、他端が接地される。
【００５０】
切替スイッチ２３２は、図３に示されるように、給電部１９とコンデンサ２３１との間の給電経路上に設けられ、前記給電経路の導通及び遮断を切り替え可能である。例えば、切替スイッチ２３２は、エンジン制御部２２からの制御信号Ｘ４（図３参照）の入力の有無に応じて前記給電経路の導通及び遮断を切り替え可能なＦＥＴなどの半導体スイッチである。ここに、制御信号Ｘ４が、本発明における第２制御信号の一例である。
【００５１】
検出回路２３は、給電部１９から給電を受けている場合にコンデンサ２３１を充電し、給電部１９からの給電が停止された場合にコンデンサ２３１を放電する。
【００５２】
具体的に、切替スイッチ２３２は、エンジン制御部２２から制御信号Ｘ４が入力されている場合に、前記給電経路を導通する。これにより、コンデンサ２３１が給電部１９から供給される電力により充電されて、コンデンサ２３１に電荷が蓄積される。また、切替スイッチ２３２は、エンジン制御部２２からの制御信号Ｘ４の入力が停止された場合に、前記給電経路を遮断する。例えば、画像形成装置１００の電源が遮断された場合、又は動作モードが前記第１モードから第２モードに遷移した場合に、給電部１９からエンジン制御部２２への給電が停止されて、エンジン制御部２２から切替スイッチ２３２への制御信号Ｘ４の入力が停止される。これにより、コンデンサ２３１で放電が開始されて、コンデンサ２３１に蓄積された電荷が放出される。なお、放電時におけるコンデンサ２３１からの電荷の放出量は、抵抗２３３の抵抗値により調整される。
【００５３】
なお、切替スイッチ２３２は、検出回路２３の外部に設けられていてもよい。例えば、切替スイッチ２３２は、給電部１９に設けられていてもよい。また、画像形成装置１００に、切替スイッチ２３２が設けられていなくてもよい。例えば、給電部１９が、エンジン制御部２２からの制御信号の入力に応じて、検出回路２３への給電の有無を切替可能であってもよい。
【００５４】
電圧検出部２３４は、コンデンサ２３１に蓄積された電荷量を検出する。具体的に、電圧検出部２３４は、コンデンサ２３１の給電部１９側の端部の電圧値を、コンデンサ２３１に蓄積された電荷量を示す値として検出する。例えば、電圧検出部２３４は、入力されるアナログの電気信号をデジタルの電気信号に変換するＡＤ変換器である。例えば、電圧検出部２３４は、エンジン制御部２２に、コンデンサ２３１の給電部１９側の端部の電圧値を示す電圧情報Ｄ２を出力する。また、電圧検出部２３４は、メイン制御部２０に、コンデンサ２３１の給電部１９側の端部の電圧値を示す電圧情報Ｄ３を出力する。なお、電圧検出部２３４は、コンデンサ２３１に並列に接続された電圧検出用の電子回路（ＩＣ）等であってもよい。
【００５５】
ここで、画像形成装置１００では、記憶部１８に、前記給電停止状態の継続時間とコンデンサ２３１の残存電荷量との対応関係を示す放電特性データ（図５参照）が格納されている。具体的に、放電特性データは、メイン制御部２０で後述するデータ生成処理が実行されることによって生成されて、記憶部１８に格納される。
【００５６】
そして、画像形成装置１００では、エンジン制御部２２が、電圧検出部２３４から出力される電圧情報Ｄ２及び記憶部１８に格納された前記放電特性データに基づいて、前記給電停止状態の継続時間を取得する。具体的に、エンジン制御部２２は、図２に示されるように、第１検出処理部２２２、導通処理部２２３、第１取得処理部２２４、判断処理部２２５、及び調整処理部２２６を更に有する。
【００５７】
第１検出処理部２２２は、給電部１９による給電によってエンジン制御部２２が起動した場合に、コンデンサ２３１の残存電荷量を検出する。具体的に、第１検出処理部２２２は、画像形成装置１００の電源が投入された場合、又は前記動作モードが前記第２モードから前記第１モードに遷移された場合に、コンデンサ２３１の残存電荷量を検出する。
【００５８】
具体的に、第１検出処理部２２２は、コンデンサ２３１の残存電荷量を示す電圧値を取得することで、コンデンサ２３１の残存電荷量を検出する。例えば、第１検出処理部２２２は、エンジン制御部２２が起動した際に電圧検出部２３４から出力される電圧情報Ｄ２（図３参照）によって示される電圧値を、コンデンサ２３１の残存電荷量を示す電圧値として取得する。
【００５９】
導通処理部２２３は、第１検出処理部２２２によるコンデンサ２３１の残存電荷量の検出後に、前記給電経路を導通させる。
【００６０】
具体的に、導通処理部２２３は、第１検出処理部２２２によるコンデンサ２３１の残存電荷量の検出後に、切替スイッチ２３２に制御信号Ｘ４（図３参照）を入力して、切替スイッチ２３２に前記給電経路を導通させる。
【００６１】
第１取得処理部２２４は、第１検出処理部２２２によって検出されたコンデンサ２３１の残存電荷量、及び記憶部１８に格納された前記放電特性データに基づいて、前記給電停止状態の継続時間を取得する。
【００６２】
判断処理部２２５は、第１取得処理部２２４によって取得された前記給電停止状態の継続時間に基づいて、画像形成部１３を調整する前記調整処理の実行の要否を判断する。
【００６３】
具体的に、判断処理部２２５は、以前に実行された前記印刷処理の終了時から画像形成装置１００の電源遮断時又は前記第２モードへの遷移時までの経過時間と、第１取得処理部２２４によって取得された前記給電停止状態の継続時間との合計時間が前記基準時間を超える場合に、前記調整処理が必要であると判断する。
【００６４】
例えば、画像形成装置１００では、エンジン制御部２２が、以前に実行された前記印刷処理の終了時から画像形成装置１００の電源遮断時又は前記第２モードへの遷移時までの経過時間を予め算出して、記憶部１８に格納する。
【００６５】
具体的に、エンジン制御部２２は、印刷処理部２２１によって前記印刷処理が実行された場合に、メイン制御部２０から前記印刷処理の終了時の時刻を示す前記時刻情報を取得する。
【００６６】
また、画像形成装置１００では、メイン制御部２０が、不図示の遮断検出回路を用いて、画像形成装置１００の電源の遮断を検出する。メイン制御部２０は、画像形成装置１００の電源の遮断が検出された場合に、その旨をエンジン制御部２２に通知する。エンジン制御部２２は、メイン制御部２０から画像形成装置１００の電源の遮断が検出された旨を通知された場合に、メイン制御部２０から電源遮断時の時刻を示す前記時刻情報を取得する。
【００６７】
そして、エンジン制御部２２は、前記印刷処理の終了時の時刻を示す前記時刻情報と電源遮断時の時刻を示す前記時刻情報とに基づいて、以前に実行された前記印刷処理の終了時から画像形成装置１００の電源遮断時までの経過時間を算出する。その後、エンジン制御部２２は、算出された経過時間を記憶部１８に格納する。
【００６８】
また、画像形成装置１００では、メイン制御部２０が、第１遷移処理部２０１によって前記第１遷移条件を充足したと判断された場合に、その旨をエンジン制御部２２に通知する。エンジン制御部２２は、メイン制御部２０から前記第１遷移条件を充足した旨を通知された場合に、メイン制御部２０から前記第１遷移条件の充足時（前記第２モードへの遷移時）の時刻を示す前記時刻情報を取得する。
【００６９】
そして、エンジン制御部２２は、前記印刷処理の終了時の時刻を示す前記時刻情報と前記第２モードへの遷移時の時刻を示す前記時刻情報とに基づいて、以前に実行された前記印刷処理の終了時から前記第２モードへの遷移時までの経過時間を算出する。その後、エンジン制御部２２は、算出された経過時間を記憶部１８に格納する。
【００７０】
調整処理部２２６は、判断処理部２２５によって前記調整処理の実行が必要と判断された場合に、前記調整処理を実行する。例えば、前記調整処理には、前記帯電装置を用いて前記感光体ドラムの表面を帯電させた後、不図示の除電装置を用いて前記感光体ドラムの表面を除電する処理、前記現像装置内の現像剤を撹拌する処理、前記クリーニング装置を用いて前記感光体ドラムの表面の清掃する処理などを含む。
【００７１】
なお、エンジン制御部２２は、第１取得処理部２２４によって取得された前記給電停止状態の継続時間に基づいて、前記定着装置における加熱制御を行ってもよい。また、エンジン制御部２２は、第１取得処理部２２４によって取得された前記給電停止状態の継続時間に基づいて、画像形成装置１００の筐体内に設けられた不図示の冷却ファンの駆動制御を行ってもよい。
【００７２】
また、エンジン制御部２２は、第１取得処理部２２４によって取得された前記給電停止状態の継続時間をメイン制御部２０に通知してもよい。例えば、メイン制御部２０は、エンジン制御部２２から通知される前記給電停止状態の継続時間を用いて、画像形成装置１００の累積稼働時間、及び累積消費電力等を算出してもよい。
【００７３】
また、メイン制御部２０の前記ＲＯＭには、前記ＣＰＵに後述のデータ生成処理（図４のフローチャート参照）を実行させるためのデータ生成プログラムが予め記憶されている。なお、前記データ生成プログラムは、ＣＤ、ＤＶＤ、フラッシュメモリーなどのコンピューター読み取り可能な記録媒体に記録されており、前記記録媒体から読み取られてメイン制御部２０の前記ＥＥＰＲＯＭ等の記憶媒体にインストールされるものであってもよい。
【００７４】
そして、メイン制御部２０は、図２に示されるように、遮断処理部２０２、第２検出処理部２０３、第２取得処理部２０４、データ生成部２０５、及び格納処理部２０６を更に有する。具体的に、メイン制御部２０は、前記ＣＰＵを用いて前記ＲＯＭに記憶されている前記データ生成プログラムを実行する。これにより、メイン制御部２０は、遮断処理部２０２、第２検出処理部２０３、第２取得処理部２０４、データ生成部２０５、及び格納処理部２０６として機能する。
【００７５】
遮断処理部２０２は、予め定められたタイミングで前記給電経路を遮断させる。
【００７６】
例えば、遮断処理部２０２は、操作表示部１５において前記データ生成処理の実行を指示するユーザー操作が行われた場合に、前記給電経路を遮断させる。なお、遮断処理部２０２は、予め定められた期間が経過するごとに前記給電経路を遮断させてもよい。また、遮断処理部２０２は、前記印刷処理が予め定められた基準回数実行されるごとに前記給電経路を遮断させてもよい。
【００７７】
具体的に、遮断処理部２０２は、エンジン制御部２２に制御信号Ｘ５（図３参照）を入力して、エンジン制御部２２に切替スイッチ２３２への制御信号Ｘ４（図３参照）の入力を停止させる。
【００７８】
第２検出処理部２０３は、遮断処理部２０２によって前記給電経路が遮断された後に、コンデンサ２３１の残存電荷量を検出する。
【００７９】
具体的に、第２検出処理部２０３は、コンデンサ２３１の残存電荷量を示す電圧値を取得することで、コンデンサ２３１の残存電荷量を検出する。例えば、第２検出処理部２０３は、遮断処理部２０２によって前記給電経路が遮断された後に電圧検出部２３４から出力される電圧情報Ｄ３（図３参照）によって示される電圧値を、コンデンサ２３１の残存電荷量を示す電圧値として取得する。
【００８０】
第２取得処理部２０４は、第２検出処理部２０３によるコンデンサ２３１の残存電荷量の検出時刻を取得する。
【００８１】
例えば、第２取得処理部２０４は、時刻計測部１７から供給される前記時刻情報に基づいて、前記検出時間を取得する。例えば、第２取得処理部２０４は、時刻計測部１７に制御信号Ｘ１を入力して、時刻計測部１７に前記検出時刻を示す時刻情報Ｄ１を出力させる。なお、第２取得処理部２０４は、外部の情報処理装置から前記検出時刻を示す前記時刻情報を取得してもよい。
【００８２】
例えば、第２取得処理部２０４は、第２検出処理部２０３によって取得されるコンデンサ２３１の残存電荷量を示す電圧値が予め定められた基準値だけ減少する毎に、時刻計測部１７から前記検出時刻を示す時刻情報Ｄ１を取得する。
【００８３】
データ生成部２０５は、第２検出処理部２０３によって検出されたコンデンサ２３１の残存電荷量、及び第２取得処理部２０４によって取得されたコンデンサ２３１の残存電荷量の検出時刻に基づいて、前記放電特性データ（図５参照）を生成する。
【００８４】
格納処理部２０６は、データ生成部２０５により生成された前記放電特性データを記憶部１８に格納する。
【００８５】
［データ生成処理］
次に、図４を参照しつつ、画像形成装置１００においてメイン制御部２０により実行されるデータ生成処理の手順の一例について説明する。ここで、ステップＳ１１、Ｓ１２・・・は、メイン制御部２０により実行される処理手順（ステップ）の番号を表している。なお、メイン制御部２０は、操作表示部１５において前記データ生成処理の実行を指示するユーザー操作が行われた場合等に、前記データ生成処理を実行する。
【００８６】
＜ステップＳ１１＞
まず、ステップＳ１１において、メイン制御部２０は、前記給電経路を遮断させる。ここで、ステップＳ１１の処理は、メイン制御部２０の遮断処理部２０２により実行される。
【００８７】
具体的に、メイン制御部２０は、エンジン制御部２２に制御信号Ｘ５（図３参照）を入力して、エンジン制御部２２に切替スイッチ２３２への制御信号Ｘ４（図３参照）の入力を停止させる。これにより、前記給電経路が遮断されて、コンデンサ２３１で放電が開始される。
【００８８】
＜ステップＳ１２＞
ステップＳ１２において、メイン制御部２０は、コンデンサ２３１の残存電荷量を検出する。ここで、ステップＳ１２の処理は、メイン制御部２０の第２検出処理部２０３により実行される。
【００８９】
具体的に、メイン制御部２０は、電圧検出部２３４から出力される電圧情報Ｄ３（図３参照）によって示される電圧値を、コンデンサ２３１の残存電荷量を示す電圧値として取得することによって、コンデンサ２３１の残存電荷量を検出する。
【００９０】
＜ステップＳ１３＞
ステップＳ１３において、メイン制御部２０は、ステップＳ１２によるコンデンサ２３１の残存電荷量の検出時を示す前記検出時刻を取得する。ここで、ステップＳ１３の処理は、メイン制御部２０の第２取得処理部２０４により実行される。
【００９１】
例えば、メイン制御部２０は、時刻計測部１７に制御信号Ｘ１（図３参照）を入力して、時刻計測部１７に前記検出時刻を示す時刻情報Ｄ１を出力させる。
【００９２】
＜ステップＳ１４＞
ステップＳ１４において、メイン制御部２０は、ステップＳ１２で取得されたコンデンサ２３１の残存電荷量を示す電圧値が予め設定された下限値に到達したか否かを判断する。
【００９３】
ここで、メイン制御部２０は、ステップＳ１２で取得されたコンデンサ２３１の残存電荷量を示す電圧値が前記下限値に到達したと判断すると（Ｓ１４のＹｅｓ側）、処理をステップＳ１５に移行させる。また、コンデンサ２３１の残存電荷量を示す電圧値が前記下限値に到達していなければ（Ｓ１４のＮｏ側）、メイン制御部２０は、処理をステップＳ１２に移行させる。そして、メイン制御部２０は、コンデンサ２３１の残存電荷量を示す電圧値が前記下限値に到達するまでの間、ステップＳ１２及びステップＳ１３の処理を繰り返し実行する。例えば、メイン制御部２０は、ステップＳ１２で取得されるコンデンサ２３１の残存電荷量を示す電圧値が前記基準値だけ減少する毎に、ステップＳ１３の処理を実行する。
【００９４】
＜ステップＳ１５＞
ステップＳ１５において、メイン制御部２０は、ステップＳ１２で検出されたコンデンサ２３１の残存電荷量、及びステップＳ１３で取得されたコンデンサ２３１の残存電荷量の検出時刻に基づいて、前記放電特性データを生成する。ここで、ステップＳ１５の処理は、メイン制御部２０のデータ生成部２０５により実行される。
【００９５】
ここで、ステップＳ１５でメイン制御部２０によって生成される前記放電特性データの一例を図５に示す。図５では、前記下限値が０．５Ｖ、前記基準値が０．５Ｖに設定された場合に生成される前記放電特性データが示されている。なお、図５では、コンデンサ２３１の残存電荷量が電圧値により示されている。なお、メイン制御部２０は、前記放電特性データに基づいて、前記給電停止状態の継続時間とコンデンサ２３１の残存電荷量との対応関係を示す計算式を取得してもよい。
【００９６】
＜ステップＳ１６＞
ステップＳ１６において、メイン制御部２０は、ステップＳ１５で生成された前記放電特性データを記憶部１８に格納する。ここで、ステップＳ１６の処理は、メイン制御部２０の格納処理部２０６により実行される。
【００９７】
＜ステップＳ１７＞
ステップＳ１７において、メイン制御部２０は、ステップＳ１１で遮断された前記給電経路を導通させる。
【００９８】
例えば、メイン制御部２０は、エンジン制御部２２に制御信号Ｘ６（図３参照）を入力して、エンジン制御部２２に切替スイッチ２３２への制御信号Ｘ４（図３参照）の入力を再開させる。これにより、前記給電経路が導通されて、コンデンサ２３１が充電される。
【００９９】
このように、画像形成装置１００では、前記データ生成処理が実行されることで、コンデンサ２３１の放電開始時からの経過時間の実測値、及びコンデンサ２３１の残存電荷量の実測値に基づいた前記放電特性データが生成される。これにより、コンデンサ２３１を含む検出回路２３の個体差に起因した検出時間のバラつきが解消される。従って、画像形成装置１００の電源遮断時から電源投入時までの経過時間の検出精度が向上する。
【０１００】
なお、前記放電特性データは、予め記憶部１８に格納されていてもよい。例えば、画像形成装置１００の製造過程で、画像形成装置１００の製造作業者が前記放電特性データを作成して、作成された前記放電特性データを記憶部１８に格納してもよい。この場合、メイン制御部２０は、遮断処理部２０２、第２検出処理部２０３、第２取得処理部２０４、データ生成部２０５、及び格納処理部２０６を含んでいなくてもよい。
【０１０１】
また、エンジン制御部２２が、遮断処理部２０２、第２検出処理部２０３、第２取得処理部２０４、データ生成部２０５、及び格納処理部２０６を含むものであってもよい。
【０１０２】
［要否判断処理］
次に、図６を参照しつつ、画像形成装置１００においてエンジン制御部２２により実行される要否判断処理の手順の一例について説明する。ここで、前記要否判断処理は、画像形成装置１００の電源が投入され、又は前記動作モードが前記第２モードから前記第１モードに遷移されて、エンジン制御部２２が起動された場合に実行される。
【０１０３】
＜ステップＳ２１＞
まず、ステップＳ２１において、エンジン制御部２２は、コンデンサ２３１の残存電荷量を検出する。ここで、ステップＳ２１の処理は、エンジン制御部２２の第１検出処理部２２２により実行される。
【０１０４】
具体的に、エンジン制御部２２は、電圧検出部２３４から出力される電圧情報Ｄ２（図３参照）によって示される電圧値を、コンデンサ２３１の残存電荷量を示す電圧値として取得することによって、コンデンサ２３１の残存電荷量を検出する。
【０１０５】
ここで、画像形成装置１００では、前記給電経路の導通及び遮断の切替に切替スイッチ２３２が用いられている。そのため、エンジン制御部２２が起動して制御信号Ｘ４が入力されるまでの間、前記給電経路は切替スイッチ２３２により遮断された状態となる。これにより、画像形成装置１００の電源投入時からエンジン制御部２２によるコンデンサ２３１の残存電荷量の検出時までの間に、コンデンサ２３１が給電部１９から供給される電力により充電されて、画像形成装置１００の電源遮断時から電源投入時までの経過時間の検出精度が低下することが回避される。
【０１０６】
＜ステップＳ２２＞
ステップＳ２２において、エンジン制御部２２は、ステップＳ２１で検出されたコンデンサ２３１の残存電荷量、及び記憶部１８に格納された前記放電特性データに基づいて、前記給電停止状態の継続時間を取得する。ここで、ステップＳ２２の処理は、エンジン制御部２２の第１取得処理部２２４により実行される。
【０１０７】
＜ステップＳ２３＞
ステップＳ２３において、エンジン制御部２２は、ステップＳ２２で取得された前記給電停止状態の継続時間に基づいて、前記調整処理の実行の要否を判断する。ここで、ステップＳ２３の処理は、エンジン制御部２２の判断処理部２２５により実行される。
【０１０８】
具体的に、エンジン制御部２２は、以前に実行された前記印刷処理の終了時から画像形成装置１００の電源遮断時又は前記第２モードへの遷移時までの経過時間と、ステップＳ２２で取得された前記給電停止状態の継続時間との合計時間が前記基準時間を超える場合に、前記調整処理が必要であると判断する。なお、以前に実行された前記印刷処理の終了時から画像形成装置１００の電源遮断時又は前記第２モードへの遷移時までの経過時間は、予めエンジン制御部２２により算出されて、記憶部１８に格納されている。
【０１０９】
ここで、エンジン制御部２２は、前記調整処理が必要であると判断すると（Ｓ２３のＹｅｓ側）、処理をステップＳ２４に移行させる。また、前記調整処理が必要でなければ（Ｓ２３のＮｏ側）、エンジン制御部２２は、処理をステップＳ２５に移行させる。
【０１１０】
＜ステップＳ２４＞
ステップＳ２４において、エンジン制御部２２は、前記調整処理を実行する。ここで、ステップＳ２４の処理は、エンジン制御部２２の調整処理部２２６により実行される。
【０１１１】
＜ステップＳ２５＞
ステップＳ２５において、エンジン制御部２２は、ステップＳ２１で遮断された前記給電経路を導通させる。ここで、ステップＳ２５の処理は、エンジン制御部２２の導通処理部２２３により実行される。
【０１１２】
具体的に、エンジン制御部２２は、切替スイッチ２３２に制御信号Ｘ４（図３参照）を入力して、切替スイッチ２３２に前記給電経路を導通させる。これにより、前記給電経路が導通されて、コンデンサ２３１が充電される。
【０１１３】
このように、画像形成装置１００では、画像形成装置１００の電源が投入された場合に、エンジン制御部２２が、メイン制御部２０から画像形成装置１００の電源投入時を示す前記時刻情報を受信することなく、前記調整処理の実行の要否を判断する。これにより、メイン制御部２０の起動を待つことなく、前記調整処理を実行することが可能となる。従って、画像形成装置１００の起動時間が短縮される。
【０１１４】
また、画像形成装置１００では、画像形成装置１００の前記動作モードが前記第２モードから前記第１モードに遷移した場合に、エンジン制御部２２が、メイン制御部２０から前記第１モードへの遷移時を示す前記時刻情報を受信することなく、前記調整処理の実行の要否を判断する。これにより、メイン制御部２０の起動を待つことなく、前記調整処理を実行することが可能となる。従って、前記動作モードが前記第２モードから前記第１モードに遷移した場合に、画像形成装置１００において前記印刷処理が実行可能となるまでの間のユーザーの待ち時間が短縮される。
【符号の説明】
【０１１５】
１１  ：ＡＤＦ
１２  ：画像読取部
１３  ：画像形成部
１４  ：給紙部
１５  ：操作表示部
１７  ：時刻計測部
１８  ：記憶部
１９  ：給電部
２０  ：メイン制御部
２１  ：通信部
２２  ：エンジン制御部
２３  ：検出回路
１００：画像形成装置
１７１：ＲＴＣ
１７２：蓄電池
２０１：第１遷移処理部
２０２：遮断処理部
２０３：第２検出処理部
２０４：第２取得処理部
２０５：データ生成部
２０６：格納処理部
２１１：第２遷移処理部
２２１：印刷処理部
２２２：第１検出処理部
２２３：導通処理部
２２４：第１取得処理部
２２５：判断処理部
２２６：調整処理部
【図１】
2017177764.tif 000003
【図２】
2017177764.tif 000004
【図３】
2017177764.tif 000005
【図４】
2017177764.tif 000006
【図５】
2017177764.tif 000007
【図６】
2017177764.tif 000008